【手続補正書】
【提出日】平成28年7月28日(2016.7.28)
【手続補正１】
【補正対象書類名】特許請求の範囲
【補正対象項目名】全文
【補正方法】変更
【補正の内容】
【特許請求の範囲】
【請求項１】
情報読み出しのために、会話型相互作用におけるユーザの意図の曖昧性を解消する方法であって、前記方法は、
一組のコンテンツアイテムへのアクセスを提供することであって、前記コンテンツアイテムの各々は、前記対応するコンテンツアイテムを記述するメタデータに関連付けられている、ことと、
構造知識へのアクセスを提供することであって、前記構造知識は、前記コンテンツアイテム間の意味論的関係およびリンクを示す、ことと、
ユーザ選好シグネチャを提供することであって、前記ユーザ選好シグネチャは、（ｉ）特定のコンテンツアイテム、および（ｉｉ）前記コンテンツアイテムに関連付けられたメタデータのうちの少なくとも１つに対するユーザの選好を記述する、ことと、
第１の入力を前記ユーザから受信することであって、前記第１の入力は、前記ユーザによって、少なくとも１つの所望のコンテンツアイテムを識別するように意図されている、ことと、
前記第１の入力の曖昧性インデックスを決定することと、
前記曖昧性インデックスが第１の閾値を超えるという条件に応じて、前記第１の入力と、前記構造知識、前記ユーザ選好シグネチャ、前記ユーザの場所、および前記第１の入力の時間のうちの少なくとも１つとに基づいて、クエリ入力を決定し、前記クエリ入力とコンテンツアイテムの一部に関連付けられたメタデータとの比較に基づいて、コンテンツアイテムの前記一部を前記一組のコンテンツアイテムから選択することと、
前記曖昧性インデックスが前記第１の閾値を超えないという条件に応じて、前記第１の入力とコンテンツアイテムの一部に関連付けられたメタデータとの比較に基づいて、コンテンツアイテムの前記一部を前記一組のコンテンツアイテムから選択することと
を含む、方法。
【請求項２】
コンテンツアイテムの前記一部を前記ユーザに提示することをさらに含む、請求項１に記載の方法。
【請求項３】
前記曖昧性インデックスは、前記第１の入力のいくつかの可能な解釈に基づいて決定される、請求項１に記載の方法。
【請求項４】
前記曖昧性インデックスが前記第１の閾値を超えるという条件に応じて、前記第１の入力のどの部分が曖昧であるかを決定することをさらに含み、前記クエリ入力の決定は、前記入力の前記曖昧な部分にさらに基づく、請求項１に記載の方法。
【請求項５】
前記入力の意図、エンティティ、およびフィルタを決定することをさらに含み、前記意図は、前記ユーザによって求められているものであり、前記エンティティは、前記意図を記述している名詞または代名詞であり、前記フィルタは、前記エンティティの修飾語句である、請求項１に記載の方法。
【請求項６】
前記曖昧性インデックスが第２の閾値を超えるという条件に応じて、前記ユーザから第２の入力を求め、受信することをさらに含み、前記クエリ入力の決定は、前記第２の入力にさらに基づき、前記第２の閾値は、前記第１の閾値を上回る、請求項１に記載の方法。
【請求項７】
情報読み出しのために、会話型相互作用におけるユーザの意図の曖昧性を解消するためのシステムであって、前記システムは、非一過性コンピュータ読み取り可能な媒体上にエンコードされているコンピュータ読み取り可能な命令を備え、
前記コンピュータ読み取り可能な命令は、
一組のコンテンツアイテムへのアクセスを提供することであって、前記コンテンツアイテムの各々は、前記対応するコンテンツアイテムを記述するメタデータに関連付けられている、ことと、
構造知識へのアクセスを提供することであって、前記構造知識は、前記コンテンツアイテム間の意味論的関係およびリンクを示す、ことと、
ユーザ選好シグネチャを提供することであって、前記ユーザ選好シグネチャは、（ｉ）特定のコンテンツアイテム、および（ｉｉ）前記コンテンツアイテムに関連付けられたメタデータのうちの少なくとも１つに対するユーザの選好を記述する、ことと、
第１の入力を前記ユーザから受信することであって、前記第１の入力は、前記ユーザによって、少なくとも１つの所望のコンテンツアイテムを識別するように意図されている、ことと、
前記第１の入力の曖昧性インデックスを決定することと、
前記曖昧性インデックスが第１の閾値を超えるという条件に応じて、前記第１の入力と、前記構造知識、前記ユーザ選好シグネチャ、前記ユーザの場所、および前記第１の入力の時間のうちの少なくとも１つとに基づいて、クエリ入力を決定し、前記クエリ入力とコンテンツアイテムの一部に関連付けられたメタデータとの比較に基づいて、コンテンツアイテムの前記一部を前記一組のコンテンツアイテムから選択することと、
前記曖昧性インデックスが前記第１の閾値を超えないという条件に応じて、前記第１の入力とコンテンツアイテムの一部に関連付けられたメタデータとの比較に基づいて、コンテンツアイテムの前記一部を前記一組のコンテンツアイテムから選択することと
をコンピュータシステムに行わせる、システム。
【請求項８】
前記コンピュータ読み取り可能な命令は、前記コンピュータシステムに、コンテンツアイテムの前記一部を前記ユーザにさらに提示させ、
前記曖昧性インデックスは、前記第１の入力のいくつかの可能な解釈に基づいて決定され、
前記コンピュータ読み取り可能な命令は、前記コンピュータシステムに、前記曖昧性インデックスが前記第１の閾値を超えるという条件に応じて、前記第１の入力のどの部分が曖昧であるかをさらに決定させ、前記クエリ入力の決定は、前記入力の前記曖昧な部分にさらに基づく、請求項７に記載のシステム。
【請求項９】
前記コンピュータ読み取り可能な命令は、前記コンピュータシステムに、前記入力の意図、エンティティ、およびフィルタをさらに決定させ、前記意図は、前記ユーザによって求められているものであり、前記エンティティは、前記意図を記述している名詞または代名詞であり、前記フィルタは、前記エンティティの修飾語句である、請求項７に記載のシステム。
【請求項１０】
前記コンピュータ読み取り可能な命令は、前記コンピュータシステムに、前記曖昧性インデックスが第２の閾値を超えるという条件に応じて、前記ユーザから第２の入力をさらに求め、受信させ、前記クエリ入力の決定は、前記第２の入力にさらに基づき、前記第２の閾値は、前記第１の閾値を上回る、請求項７に記載のシステム。
【手続補正２】
【補正対象書類名】明細書
【補正対象項目名】００２７
【補正方法】変更
【補正の内容】
【００２７】
ある実施形態では、情報読み出しのために、会話型相互作用におけるユーザの意図の曖昧性を解消するためのシステムが、提供される。本システムは、非一過性コンピュータ読み取り可能な媒体上にエンコードされたコンピュータ読み取り可能な命令を含む。コンピュータ読み取り可能な命令は、コンピュータシステムに、それらの各々が対応するコンテンツアイテムを記述するメタデータに関連付けられる一組のコンテンツアイテムへのアクセスを提供させ、コンテンツアイテム間の意味論的関係およびリンクを示す構造知識へのアクセスを提供させる。コンピュータ読み取り可能な命令はまた、コンピュータシステムに、（ｉ）特定のコンテンツアイテム、および（ｉｉ）コンテンツアイテムに関連付けられたメタデータのうちの少なくとも１つに対するユーザの選好を記述するユーザ選好シグネチャを提供させ、ユーザによって、少なくとも１つの所望のコンテンツアイテムを識別するように意図される第１の入力をユーザから受信させ、第１の入力の曖昧性インデックスを決定させる。コンピュータ読み取り可能な命令はさらに、コンピュータシステムに、曖昧性インデックスが第１の閾値を超えるという条件に応じて、第１の入力と、構造知識、ユーザ選好シグネチャ、ユーザの場所、および第１の入力の時間のうちの少なくとも１つとに基づいて、クエリ入力を決定させ、クエリ入力とコンテンツアイテムの一部に関連付けられたメタデータとの比較に基づいて、コンテンツアイテムの一部を一組のコンテンツアイテムから選択させる。コンピュータ読み取り可能な命令はまた、コンピュータシステムに、曖昧性インデックスが第１の閾値を超えないという条件に応じて、第１の入力とコンテンツアイテムの一部に関連付けられたメタデータとの比較に基づいて、コンテンツアイテムの一部を一組のコンテンツアイテムから選択させる。
本願明細書は、例えば、以下の項目も提供する。
（項目１）
情報読み出しのために、会話型相互作用におけるユーザの意図の曖昧性を解消する方法であって、前記方法は、
一組のコンテンツアイテムへのアクセスを提供することであって、前記コンテンツアイテムの各々は、前記対応するコンテンツアイテムを記述するメタデータに関連付けられている、ことと、
構造知識へのアクセスを提供することであって、前記構造知識は、前記コンテンツアイテム間の意味論的関係およびリンクを示す、ことと、
ユーザ選好シグネチャを提供することであって、前記ユーザ選好シグネチャは、（ｉ）特定のコンテンツアイテム、および（ｉｉ）前記コンテンツアイテムに関連付けられたメタデータのうちの少なくとも１つに対するユーザの選好を記述する、ことと、
第１の入力を前記ユーザから受信することであって、前記第１の入力は、前記ユーザによって、少なくとも１つの所望のコンテンツアイテムを識別するように意図されている、ことと、
前記第１の入力の曖昧性インデックスを決定することと、
前記曖昧性インデックスが第１の閾値を超えるという条件に応じて、前記第１の入力と、前記構造知識、前記ユーザ選好シグネチャ、前記ユーザの場所、および前記第１の入力の時間のうちの少なくとも１つとに基づいて、クエリ入力を決定し、前記クエリ入力とコンテンツアイテムの一部に関連付けられたメタデータとの比較に基づいて、コンテンツアイテムの前記一部を前記一組のコンテンツアイテムから選択することと、
前記曖昧性インデックスが前記第１の閾値を超えないという条件に応じて、前記第１の入力とコンテンツアイテムの一部に関連付けられたメタデータとの比較に基づいて、コンテンツアイテムの前記一部を前記一組のコンテンツアイテムから選択することと
を含む、方法。
（項目２）
コンテンツアイテムの前記一部を前記ユーザに提示することをさらに含む、項目１に記載の方法。
（項目３）
前記曖昧性インデックスは、前記第１の入力のいくつかの可能な解釈に基づいて決定される、項目１に記載の方法。
（項目４）
前記曖昧性インデックスが前記第１の閾値を超えるという条件に応じて、前記第１の入力のどの部分が曖昧であるかを決定することをさらに含み、前記クエリ入力の決定は、前記入力の前記曖昧な部分にさらに基づく、項目１に記載の方法。
（項目５）
前記入力の意図、エンティティ、およびフィルタを決定することをさらに含み、前記意図は、前記ユーザによって求められているものであり、前記エンティティは、前記意図を記述している名詞または代名詞であり、前記フィルタは、前記エンティティの修飾語句である、項目１に記載の方法。
（項目６）
前記曖昧性インデックスが第２の閾値を超えるという条件に応じて、前記ユーザから第２の入力を求め、受信することをさらに含み、前記クエリ入力の決定は、前記第２の入力にさらに基づく、項目１に記載の方法。
（項目７）
前記ユーザから第２の入力を求め、受信することをさらに含み、前記クエリ入力の決定は、前記第２の入力にさらに基づく、項目１に記載の方法。
（項目８）
コンテンツアイテムの前記一部を前記ユーザに提示することをさらに含む、項目７に記載の方法。
（項目９）
前記第２の閾値は、前記第１の閾値を上回る、項目７に記載の方法。
（項目１０）
前記曖昧性インデックスが前記第１の閾値を超えるという条件に応じて、前記第１の入力のどの部分が曖昧であるかを決定することをさらに含み、前記クエリ入力の決定は、前記入力の前記曖昧な部分にさらに基づく、項目７に記載の方法。
（項目１１）
前記入力の意図、エンティティ、およびフィルタを決定することをさらに含み、前記意図は、前記ユーザによって求められているものであり、前記エンティティは、前記意図を記述している名詞または代名詞であり、前記フィルタは、前記エンティティの修飾語句である、項目７に記載の方法。
（項目１２）
情報読み出しのために、会話型相互作用におけるユーザの意図の曖昧性を解消するためのシステムであって、前記システムは、非一過性コンピュータ読み取り可能な媒体上にエンコードされているコンピュータ読み取り可能な命令を備え、
前記コンピュータ読み取り可能な命令は、
一組のコンテンツアイテムへのアクセスを提供することであって、前記コンテンツアイテムの各々は、前記対応するコンテンツアイテムを記述するメタデータに関連付けられている、ことと、
構造知識へのアクセスを提供することであって、前記構造知識は、前記コンテンツアイテム間の意味論的関係およびリンクを示す、ことと、
ユーザ選好シグネチャを提供することであって、前記ユーザ選好シグネチャは、（ｉ）特定のコンテンツアイテム、および（ｉｉ）前記コンテンツアイテムに関連付けられたメタデータのうちの少なくとも１つに対するユーザの選好を記述する、ことと、
第１の入力を前記ユーザから受信することであって、前記第１の入力は、前記ユーザによって、少なくとも１つの所望のコンテンツアイテムを識別するように意図されている、ことと、
前記第１の入力の曖昧性インデックスを決定することと、
前記曖昧性インデックスが第１の閾値を超えるという条件に応じて、前記第１の入力と、前記構造知識、前記ユーザ選好シグネチャ、前記ユーザの場所、および前記第１の入力の時間のうちの少なくとも１つとに基づいて、クエリ入力を決定し、前記クエリ入力とコンテンツアイテムの一部に関連付けられたメタデータとの比較に基づいて、コンテンツアイテムの前記一部を前記一組のコンテンツアイテムから選択することと、
前記曖昧性インデックスが前記第１の閾値を超えないという条件に応じて、前記第１の入力とコンテンツアイテムの一部に関連付けられたメタデータとの比較に基づいて、コンテンツアイテムの前記一部を前記一組のコンテンツアイテムから選択することと
をコンピュータシステムに行わせる、システム。
（項目１３）
前記コンピュータ読み取り可能な命令は、前記コンピュータシステムに、コンテンツアイテムの前記一部を前記ユーザにさらに提示させる、項目１２に記載のシステム。
（項目１４）
前記曖昧性インデックスは、前記第１の入力のいくつかの可能な解釈に基づいて決定される、項目１２に記載のシステム。
（項目１５）
前記コンピュータ読み取り可能な命令は、前記コンピュータシステムに、前記曖昧性インデックスが前記第１の閾値を超えるという条件に応じて、前記第１の入力のどの部分が曖昧であるかをさらに決定させ、前記クエリ入力の決定は、前記入力の前記曖昧な部分にさらに基づく、項目１２に記載のシステム。
（項目１６）
前記コンピュータ読み取り可能な命令は、前記コンピュータシステムに、前記入力の意図、エンティティ、およびフィルタをさらに決定させ、前記意図は、前記ユーザによって求められているものであり、前記エンティティは、前記意図を記述している名詞または代名詞であり、前記フィルタは、前記エンティティの修飾語句である、項目１２に記載のシステム。
（項目１７）
前記コンピュータ読み取り可能な命令は、前記コンピュータシステムに、前記ユーザから第２の入力をさらに求め、受信させ、前記クエリ入力の決定は、前記第２の入力にさらに基づく、項目１２に記載のシステム。
（項目１８）
前記コンピュータ読み取り可能な命令は、前記コンピュータシステムに、前記曖昧性インデックスが第２の閾値を超えるという条件に応じて、前記ユーザから第２の入力をさらに求め、受信させ、前記クエリ入力の決定は、前記第２の入力にさらに基づく、項目１２に記載のシステム。
（項目１９）
前記コンピュータ読み取り可能な命令は、前記コンピュータシステムに、コンテンツアイテムの前記一部を前記ユーザにさらに提示させる、項目１８に記載のシステム。
（項目２０）
前記第２の閾値は、前記第１の閾値を上回る、項目１８に記載のシステム。
（項目２１）
前記コンピュータ読み取り可能な命令は、前記コンピュータシステムに、前記曖昧性インデックスが前記第１の閾値を超えるという条件に応じて、前記第１の入力のどの部分が曖昧であるかをさらに決定させ、前記クエリ入力の決定は、前記入力の前記曖昧な部分にさらに基づく、項目１８に記載のシステム。
（項目２２）
前記コンピュータ読み取り可能な命令は、前記コンピュータシステムに、前記入力の意図、エンティティ、およびフィルタをさらに決定させ、前記意図は、前記ユーザによって求められているものであり、前記エンティティは、前記意図を記述している名詞または代名詞であり、前記フィルタは、前記エンティティの修飾語句である、項目１８に記載のシステム。